(57)【要約】【課題】従来よりコストを節約でき、もしくは制御性を向上させることができる空中発光サイン装置の提供。【解決手段】制御に従って空中に飛行できる飛行手段１１と、飛行手段１１に設置される発光手段１２と、飛行手段１１の飛行を制御する飛行制御信号を送信する飛行操作手段２と、発光手段１２の発光を制御する発光制御信号を送信する発光操作手段３と、を備えた空中発光サイン装置１であって、発光手段１２は、飛行手段１１に設置されているフレームユニット１２１と、フレームユニット１２１に取り付けられる複数の発光ユニット１２２と、フレームユニット１２１に取り付けられて発光操作手段３からの発光制御信号を受信して該発光制御信号に従って複数の発光ユニット１２２の発光状態を個別に制御する発光制御ユニット１２３と、を有する空中発光サイン装置１を提供する。【選択図】  図１
0003223496.tif 000002
【実用新案登録請求の範囲】
【請求項１】
制御に従って空中に飛行できる飛行手段と、
前記飛行手段に設置される発光手段と、
前記飛行手段の飛行を制御する飛行制御信号を送信する飛行操作手段と、
前記発光手段の発光を制御する発光制御信号を送信する発光操作手段と、
を備えた空中発光サイン装置であって、
前記飛行手段は、前記飛行操作手段からの前記飛行制御信号を受信して該飛行制御信号に従って前記飛行手段の飛行を制御する自動パイロットユニットを有しており、
前記発光手段は、前記飛行手段に設置されているフレームユニットと、前記フレームユニットに取り付けられる複数の発光ユニットと、前記フレームユニットに取り付けられて前記発光操作手段からの前記発光制御信号を受信して該発光制御信号に従って前記複数の発光ユニットの発光状態を個別に制御する発光制御ユニットと、を有しており、
前記飛行操作手段は、飛行操作を受け付ける飛行操作モジュールと、該飛行操作モジュールに対する操作に応じて対応する前記飛行制御信号を生成して前記飛行手段に送信する第１の送信モジュールと、を有しており、
前記発光操作手段は、発光操作を受け付ける発光操作モジュールと、該発光操作モジュールに対する操作に応じて対応する前記発光制御信号を生成して前記発光手段に送信する第２の送信モジュールと、を有している
ことを特徴とする空中発光サイン装置。
【請求項２】
前記フレームユニットは、前記飛行手段に吊り下げられるワイヤーを有しており、各前記発光ユニットは、それぞれ前記ワイヤーに固定されていることを特徴とする請求項１に記載の空中発光サイン装置。
【請求項３】
前記飛行手段は、水平方向に延伸し、且つ、複数本の前記ワイヤーが取り付けられる水平アームを更に有していることを特徴とする請求項２に記載の空中発光サイン装置。
【請求項４】
前記ワイヤーの下端に、重りが取り付けられていることを特徴とする請求項２に記載の空中発光サイン装置。
【請求項５】
各前記ワイヤーは、互いに所定の水平距離を空けて前記水平アームに取り付けられており、更に、１本の前記ワイヤーに取り付けられた各前記発光ユニットは、互いに所定の垂直距離を空けて該ワイヤーに取り付けられていることを特徴とする請求項３に記載の空中発光サイン装置。
【考案の詳細な説明】
【技術分野】
【０００１】
本考案は発光ユニットを利用する表示装置に関するものであり、特に飛行手段を利用して空中に発光サインを形成する空中発光サイン装置に関する。
【背景技術】
【０００２】
従来では、ビルの外壁などに設置されたベースと該ベースに配置された発光ユニットとを用い、発光ユニットの発光により、夜に表示効果を発揮する発光看板が広く使われている。
【０００３】
このような発光看板の発光ユニットに会社名や商標などを表示させ、静的な視覚効果を表現し、或いは発光ユニットに信号的に接続された制御システムを使用して発光ユニットの明るさを制御することにより、マーキーライトやアニメーション等の動的な視覚効果を表現することができる。
【０００４】
しかし、このような発光看板を設置する際、地面や建物の屋根、または建物の壁などの設置対象が必要なので、設置可能な環境は制限されている。
【０００５】
特許文献１には複数のドローンを空中に飛ばし、前記ドローンに発光ユニットをそれぞれ１つ設置し、空中に光点を形成することにより、発光看板のような表示効果を作り出すことができることが記載されている。しかし、この技術を用いて上記発光看板と同等な表示効果を発揮するには、大量のドローンを必要とするためコストが高く、そして大量のドローンを同時に制御することも困難である。
【先行技術文献】
【特許文献】
【０００６】
【特許文献１】中国実用新案公告第２０８１２８５７９Ｕ号
【考案の概要】
【考案が解決しようとする課題】
【０００７】
上記のように、空中に発光看板を表示する従来の技術には、コストが高く、且つ、制御が困難な欠点がある。
本考案の目的は従来技術の欠点の少なくとも１つを克服する空中発光サイン装置を提供することである。
【課題を解決するための手段】
【０００８】
上記問題に鑑みて、本考案は制御に従って空中に飛行できる前記飛行手段と、前記飛行手段に設置される発光手段と、前記飛行手段の飛行を制御する飛行制御信号を送信する飛行操作手段と、前記発光手段の発光を制御する発光制御信号を送信する発光操作手段と、を備えた空中発光サイン装置であって、
前記飛行手段は、前記飛行操作手段からの前記飛行制御信号を受信して該飛行制御信号に従って前記飛行手段の飛行を制御する自動パイロットユニットを有しており、
前記発光手段は、前記飛行手段に設置されているフレームユニットと、前記フレームユニットに取り付けられる複数の前記発光ユニットと、前記フレームユニットに取り付けられて前記発光操作手段からの前記発光制御信号を受信して該発光制御信号に従って前記複数の前記発光ユニットの発光状態を個別に制御する発光制御ユニットと、を有しており、
前記飛行操作手段は、飛行操作を受け付ける飛行操作モジュールと、該飛行操作モジュールに対する操作に応じて対応する前記飛行制御信号を生成して前記飛行手段に送信する第１の送信モジュールと、を有しており、
前記発光操作手段は、発光操作を受け付ける発光操作モジュールと、該発光操作モジュールに対する操作に応じて対応する前記発光制御信号を生成して前記発光手段に送信する第２の送信モジュールと、を有していることを特徴とする空中発光サイン装置を提供する。
前記フレームユニットは、前記飛行手段に吊り下げられるワイヤーを有してもよく、各前記発光ユニットは、それぞれ前記ワイヤーに固定されてもよい。
前記飛行手段は、水平方向に延伸し、且つ、複数本の前記ワイヤーが取り付けられる水平アームを更に有してもよい。
前記ワイヤーの下端に、重りが取り付けられてもよい。
各前記ワイヤーは、互いに所定の水平距離を空けて前記水平アームに取り付けられてもよく、更に、１本の前記ワイヤーに取り付けられた各前記発光ユニットは、互いに所定の垂直距離を空けて該ワイヤーに取り付けられてもよい。
【考案の効果】
【０００９】
上記構成によれば、本考案の空中発光サイン装置は、１つの前記飛行手段を用いて複数の前記発光ユニットを空中に運んで空中で様々な光の効果を形成することにより、必要な飛行手段の数量を減らして、設置するコストを節約できると共に、複数の飛行手段を同時に制御する難易度も抑えることもできる。
【図面の簡単な説明】
【００１０】
【図１】本考案の空中発光サイン装置の第１の実施形態の説明図であり、複数の飛行手段と飛行操作手段及び発光操作手段の制御関係が示されている。
【図２】本考案の空中発光サイン装置が編隊飛行を行う様子が示されている説明図である。
【図３】本考案の空中発光サイン装置の第２の実施形態の側面図である。
【考案を実施するための形態】
【００１１】
以下は図面を用いながら本考案について詳しく説明する。ちなみに、以下の説明では、本考案において類似する構造を持ち、且つ同等な機能を発揮するものに関しては、全く同じものでなくても、同じ符号が振り分けられていることを断っておく。
【００１２】
まず、図１〜図２に本考案の空中発光サイン装置の第１の実施形態が示されている。図１は複数の飛行手段と飛行操作手段及び発光操作手段の制御関係が示されている説明図であり、図２は本考案の空中発光サイン装置が編隊飛行を行う様子が示されている説明図である。
【００１３】
図１、図２には複数の空中発光サイン装置１が示されているが、全ての空中発光サイン装置１は同じ構成を有するため、以下では１つの空中発光サイン装置１のみについて詳しく説明する。
【００１４】
図示のように、本考案の第１の実施形態の空中発光サイン装置１は、飛行手段１１と、飛行手段１１に取り付けられる発光手段１２と、飛行操作手段２と、発光操作手段３とを備えている。
【００１５】
飛行手段１１には、飛行操作手段２からの飛行制御信号を受信し、該飛行手段１１の飛行を制御することができる自動パイロットユニット１３が搭載されていると共に、下方に発光手段１２が吊り下げられている。
【００１６】
また、この実施形態において、飛行手段１１としては制御に従って空中に飛行できるドローンが使用され、空中で移動したりホバリングしたりすることができるが、本考案として利用可能な飛行手段１１はドローンに限定されることなく、制御に従って空中に飛行できるものであれば、本考案における飛行手段として適用することができる。
【００１７】
発光手段１２は、フレームユニット１２１と、複数の発光ユニット１２２と、発光制御ユニット１２３と、重り１２４とを有する。フレームユニット１２１は、飛行手段１１に吊り下げられるワイヤー１２５を有しており、各発光ユニット１２２は、それぞれワイヤー１２５に固定されている。各発光ユニット１２２としては１個以上の混色ＬＥＤランプを使用することができる。混色ＬＥＤは短い反応時間、高い輝度、節電などの利点を有するため、本考案における発光ユニットに適用することが特に好ましいが、本考案において発光ユニット１２２として適用できるものは、ＬＥＤに限らず、駆動に応じて制御可能な手段であれば本考案における発光ユニットとして適用することができる。発光制御ユニット１２３は、ワイヤー１２５の基部に設置され、発光ユニット１２２と信号的に接続し、発光ユニット１２２に対して制御信号を出力することにより、各発光ユニット１２２を個別に制御してさまざまな発光パターンを実行させることができる。重り１２４は、ワイヤー１２５の下端に接続されており、ワイヤー１２５が飛行手段１１によって空中に運ばれる時、重り１２４の重量を利用して該ワイヤー１２５を上下に伸びる状態に確保することができる。
【００１８】
飛行操作手段２は、飛行操作モジュール２１、及び第１の送信モジュール２２が含まれ、その飛行操作モジュール２１は使用者によって操作されて飛行制御信号を生成するように構成されており、その飛行制御信号を第１の送信モジュール２２で自動パイロットユニット１３に送信し、自動パイロットユニット１３が飛行制御信号に従ってそれぞれに対応する飛行手段１１を制御することで、飛行手段１１の移動やホバリングを実行することができる。なお、第１の送信モジュール２２により自動パイロットユニット１３に送信される飛行制御信号には、制御対象である各飛行手段１１に対応する複数の空間座標信号や各飛行手段１１に対応する複数の移動方向信号が含まれ得る。
【００１９】
発光操作手段３は、発光操作モジュール３１と、第２の送信モジュール３２が含まれている。発光操作モジュール３１は使用者が発光制御信号を生成し、操作するためのものであり、その発光制御信号は第２の送信モジュール３２によって、発光制御ユニット１２３に送信することにより、発光制御ユニット１２３が発光制御信号に従って、発光ユニット１２２を制御することができるようにする。その発光制御信号には発光手段１２に対応する複数組の発光ユニット１２２の信号が含まれ得る。その信号は明滅、明るさ、明滅周波数と変色等の発光機能に関わる信号であり、発光手段１２の発光制御ユニット１２３は対応する発光ユニット１２２をそれぞれ制御し、対応する発光機能を実行することができる。
【００２０】
本考案の空中発光サイン装置の第１の実施形態を使用する場合には、例えば複数の空中発光サイン装置を用意し、飛行操作手段２を操作し、各飛行手段１１を飛行制御信号に応じて空中に飛行させ、それぞれ対応する位置に移動させる。具体的には、各飛行手段１１と隣接する飛行手段１１との相対位置を固定させるが、好ましくは飛行手段１１同士を左右に等距離で配置させ、更には発光ユニット１２２を上下左右に間隔を空けて配置させ、発光ユニット配列平面５を構成し、各発光ユニット１２２を、発光ユニット配列平面５の１つの画素とする。
【００２１】
次に、発光操作手段３を使用し、発光手段１２の発光ユニット１２２を制御し、対応する発光機能をそれぞれ実行する。例えば、複数の発光ユニット１２２のみを点いたままにさせ、他の発光ユニット１２２を常に消えた状態にさせることにより、空中に静的な図案を形成することができる。或いは、各発光ユニット１２２を異なる周波数で明滅させることにより、動的なアニメやマーキーライトを形成する。発光ユニット１２２を用い、様々な発光効果を組み合わせて表示すると同時に、飛行操作手段２を操作し続けることにより、飛行手段１１同士の相対位置を維持しながら飛行手段１１を任意の方向に移動させることにより、発光ユニット配列平面５を空中で移動させることもできる。
【００２２】
また、図２に示されるように、本考案の空中発光サイン装置１を多数用意して複数の飛行隊列６を組んで運用することも可能である。各飛行隊列６における全ての空中発光サイン装置１を用いて１つの発光ユニット配列平面５を構成したり、複数の発光ユニット配列平面５を構成したりすることにより、従来よりも幅広い視覚効果を提供することができる。
【００２３】
図３を参照し、本考案の空中発光サイン装置の第２の実施形態について説明する。
【００２４】
図示のように、この第２の実施形態では、飛行手段１１は更に左右に延伸する水平アーム１２６を有しており、発光手段１２のフレームユニット１２１は、それぞれ水平アーム１２６に連接し、互いに所定の水平距離（図示の例では等間隔）を空けて配列されるように取り付けられている複数のワイヤー１２５であり、各ワイヤー１２５に、発光ユニット１２２が互いに所定の垂直距離（図示の例では等間隔）を空けて取り付けられている。飛行手段１１が飛行する際は、飛行手段１１から吊り下げられるようになる。この実施形態において、飛行手段１１は、飛行船または熱気球等のような積載量が大きい大型の飛行器具が適しているが、複数の発光手段１２を積載するのに十分な出力があれば、小型のドローンであっても構わない。空中発光サイン装置１の発光手段１２は、第１の実施形態と同様に独立し、発光ユニット配列平面５となることができることにより、静的または動的な発光効果を達成することができる。
【００２５】
なお、ワイヤー１２５と発光ユニット１２２とを等間隔に配置するのは発光ユニット配列平面５を構成するためであるが、ワイヤー１２５と発光ユニット１２２とは等間隔に配置されることに限定されず、任意の配置により、更に多様な発光効果を表示することができる。実施にはワイヤー１２５と発光ユニット１２２を等間隔に配置することに限らず、所望の表示に応じて、必要な位置にのみ配置してもよい。
【００２６】
以上述べたように、本考案の空中発光サイン装置の効果は、各飛行手段１１が複数の発光ユニット１２２を搭載していることを利用し、発光ユニット配列平面５を構成するのに必要な飛行手段１１の数を減らすことができ、発光ユニット配列平面５を空中に配置するコストを下げることができる。同時に、発光操作手段３により、発光ユニット１２２を制御し、それぞれ異なる発光機能を実行することにより、発光ユニット配列平面５は飛行手段１１の移動速度に制限されることなく様々な発光効果を迅速に変えることができる。そのため、本考案の目的を確実に達成することができる。
【００２７】
以上述べたものは、本考案の実施の形態に過ぎず、本考案の実施範囲はこれに限定されることなく、実用新案登録出願の範囲および本考案の明細書に書かれたことの簡単な変化および修正はすべて本考案の範囲に網羅される。
【符号の説明】
【００２８】
１        空中発光サイン装置
１１      飛行手段
１２      発光手段
１２１    フレームユニット
１２２    発光ユニット
１２３    発光制御ユニット
１２４    重り
１２５    ワイヤー
１２６    水平アーム
１３      自動パイロットユニット
２        飛行操作手段
２１      飛行操作モジュール
２２      第１の送信モジュール
３        発光操作手段
３１      発光操作モジュール
３２      第２の送信モジュール
５        発光ユニット配列平面
６        飛行隊列
【図１】
0003223496.tif 000003
【図２】
0003223496.tif 000004
【図３】
0003223496.tif 000005